(57)【要約】      （修正有）【課題】アイロン掛けの際に用いるのに適した手工芸用具を提供する。【解決手段】手工芸用具は、第１端部２、第２端部３、および中間部１を有している。上記第１端部および上記第２端部は、当該手工芸用具の長手方向において互いに離間している。上記中間部は、上記第１端部および上記第２端部の間に位置している。上記中間部は、上記長手方向に沿って一様な断面を有する棒状である。上記中間部の少なくとも表面部分は、熱硬化性エラストマーにより構成されている。【選択図】図１
2015077386.tif 000002
【特許請求の範囲】
【請求項１】
長手方向において互いに離間した第１端部および第２端部と、
上記第１端部および上記第２端部の間に位置する中間部と、
を備え、
上記中間部は、上記長手方向に沿って一様な断面を有する棒状であり、
上記中間部の少なくとも表面部分は、熱硬化性エラストマーにより構成されている、手工芸用具。
【請求項２】
上記中間部は、円柱状である、請求項１に記載の手工芸用具。
【請求項３】
上記第１端部は、上記長手方向と直交する方向において互いに逆方向を向く第１平面部および第２平面部を有しており、上記第１平面部および上記第２平面部は、上記第１端部の先端に向かうほど互いに近づく構成とされている、請求項１に記載の手工芸用具。
【請求項４】
上記長手方向に延びる所定領域における上記第１端部の外周の周方向長さおよび上記中間部における外周の周方向の長さは、略同一である、請求項３に記載の手工芸用具。
【請求項５】
上記第２端部は、丸みを帯びた先端を有している、請求項１に記載の手工芸用具。
【請求項６】
上記長手方向に延びる金属製の軸部材をさらに備えており、上記軸部材は、少なくとも上記中間部の内部に埋設されている、請求項１に記載の手工芸用具。
【発明の詳細な説明】
【技術分野】
【０００１】
本発明は、布あるいは編み物を押圧あるいは支持するために用いられる手工芸用具に関する。用途の一例として、本発明の手工芸用具は、アイロン掛けの際に布を支持する台として用いられる。
【背景技術】
【０００２】
従来、アイロン掛けの方法の一つとして、「縫い代割り」と呼ばれる方法が知られている。縫い代割りは、たとえば、次のような手順で行われる。（１）２枚の布を、所定寸法の縫い代が得られるように互いに縫い合わせる。（２）縫い合わされた布を、縫い代を上にした状態でアイロン台上に平らに開く。（３）縫い代を、縫い目を挟むように両側に開く。（４）開かれた縫い代に対してアイロン掛けを行い折り癖を付ける。
【０００３】
上述の縫い代割りにおいて、従来のアイロン台を用いてアイロン掛けを行うと、布の表側部分に縫い代の型がついてしまう場合がある。特に、布の厚みが大きい場合には、縫い代の型が明確に視認されることとなり、見栄えの点で好ましくない。
【発明の概要】
【発明が解決しようとする課題】
【０００４】
本発明は、このような事情のもとで考え出されたものである。そこで本発明は、上記の不具合を解消あるいは低減しうるとともに、アイロン掛けの際に用いるのに適した手工芸用具を提供することを課題としている。
【課題を解決するための手段】
【０００５】
本発明によって提供される手工芸用具は、長手方向において互いに離間した第１端部および第２端部と、上記第１端部および上記第２端部の間に位置する中間部と、を備えている。上記中間部は、上記長手方向に沿って一様な断面を有する棒状である。上記中間部の少なくとも表面部分は、熱硬化性エラストマーにより構成されている。
【０００６】
好ましくは、上記中間部は、円柱状である。
【０００７】
好ましくは、上記第１端部は、上記長手方向と直交する方向において互いに逆方向を向く第１平面部および第２平面部を有している。上記第１平面部および上記第２平面部は、上記第１端部の先端に向かうほど互いに近づく構成とされている。
【０００８】
好ましくは、上記長手方向に延びる所定領域における上記第１端部の外周の周方向長さおよび上記中間部における外周の周方向の長さは、略同一である。
【０００９】
好ましくは、上記第２端部は、丸みを帯びた先端を有している。
【００１０】
好ましくは、本発明の手工芸用具は、上記長手方向に延びる金属製の軸部材をさらに備えており、上記軸部材は、少なくとも上記中間部の内部に埋設されている。
【００１１】
本発明のその他の特徴および利点は、添付図面を参照して以下に行う詳細な説明によって、より明らかとなろう。
【図面の簡単な説明】
【００１２】
【図１】本発明の実施例に基づく手工芸用具を示す斜視図である。
【図２】図１に示す手工芸用具の正面図である。
【図３】図１に示す手工芸用具の平面図である。
【図４】図１に示す手工芸用具の左側面図である。
【図５】図２のＶ−Ｖ線に沿う断面図である。
【図６】図２のＶＩ−ＶＩ線に沿う断面図である。
【図７】上記手工芸用具の使用方法を説明するための斜視図である。
【図８】上記手工芸用具の使用方法を説明するための断面図である。
【図９】上記工芸用具の別の使用方法を説明するための斜視図である。
【図１０】上記手工芸用具のさらに別の使用方法を説明するための斜視図である。
【図１１】上記手工芸用具の使用方法を説明するための第１端部の断面図である。
【図１２】上記手工芸用具の使用方法を説明するための中間部の断面図である。
【図１３】本発明に係る手工芸用具の変形例の使用状態を示す断面図である。
【図１４】本発明に係る手工芸用具の別の変形例の使用状態を示す断面図である。
【発明を実施するための形態】
【００１３】
以下、本発明の好ましい実施例について、図面を参照して具体的に説明する。
【００１４】
図１〜図６は、本発明の一実施例に基づく手工芸用具を示している。図１〜図３に表れているように、本実施例の手工芸用具Ａは、全体として直線状に延びる棒状である。手工芸用具Ａは、長手方向ｘに互いに離間した第１端部２および第２端部３と、これら第１端部２および第２端部３の間に位置する中間部１と、を備えている。
【００１５】
中間部１は、略一定の外径を有し、長手方向ｘに延びる円柱状である。中間部１の寸法の一例を挙げると、外径寸法が２０ｍｍ程度であり、長手方向ｘにおける長さ寸法が１６０ｍｍ程度である。詳細は後述するが、中間部１は、たとえば縫い代割りのアイロン掛け作業時に用いられる部分である。中間部１の少なくとも表面部分は、熱硬化性エラストマーにより構成されている。また、図２において点線で表すように、中間部１の内部には、軸部材４が埋設されている。図示した例では、軸部材４の左端部は、手工芸用具Ａの第１端部２の一部にまで延びており、右端部は、手工芸用具Ａの第２端部３の一部にまで延びている。
【００１６】
図１〜図３に表れているように、第１端部２は、中間部１につながっており、第１平面部２１および第２平面部２２を有する。第１平面部２１および第２平面部２２は、手工芸用具Ａの長手方向ｘと直交する方向ｙにおいて、互いに逆向きとされている。また、第１平面部２１および第２平面部２２は、第１端部２の先端に向かうほど互いに近づくように傾斜している。
【００１７】
第１端部２は、図２に示すように（すなわち、方向ｙ視において）、長手方向ｘと直交する方向ｚの寸法Ｌ１が、当該第１端部２の先端に向かうほど大となっている。一方、図３に示すように、第１端部２の寸法Ｌ２（方向ｙにおける寸法）は、当該第１端部２の先端に向かうほど小となっている。
【００１８】
第１端部２の先端縁付近を除いた所定領域（図２における符号Ｒ１で示す領域）において、当該第１端部２の外周の周方向長さ（長手方向ｘと直交する横断面の外周寸法）は、長手方向ｘの各点において略一定とされており、さらに中間部１における外周の周方向長さと略同一である。本実施例において、図２によく表れているように、第１端部２の先端下側（方向ｚの一方側）は、円弧状の湾曲部２３が設けられており、第１端部２の先端上側（方向ｚの他方側）は、先鋭状の先端角部２４が設けられている。
【００１９】
第２端部３は、中間部１につながっており、先端に向かうほど小径となる円錐状のテーパ部３１と、先端に位置する球面部３２とを有する。球面部３２は、丸みを帯びた部分であり、中間部１の外径よりも小さな直径（曲率半径×２）を有している。
【００２０】
軸部材４は、図２、図５に表れているように、手工芸用具Ａの長手方向ｘに沿って延びている。軸部材４は、中間部１ならびにこの中間部１につながる第１端部２および第２端部３のそれぞれの一部に跨るように埋設されている。軸部材４は、金属製の丸棒（図６参照）であり、たとえばステンレス鋼からなる。
【００２１】
本実施例において、中間部１ならびに第１端部２および第２端部３は、熱硬化性エラストマーにより一体的に形成されている。熱硬化性エラストマーは、一般に、耐熱性に優れ、かつ弾力性を有する。熱硬化性エラストマーとしては、たとえばシリコーンゴム、ウレタンゴム、フッ素ゴムなどが挙げられるが、特にこれらに限定されるものではない。軸部材４が埋設された構成の手工芸用具Ａは、たとえばインサート成形によって形成することができる。
【００２２】
次に、上記手工芸用具Ａの使用方法および作用について、図７〜図１２を参照して説明する。
【００２３】
上記手工芸用具Ａは、たとえば、縫い代部分のアイロン掛けを行う際に用いることができる。まず、布Ｃの縫い代が上側となるように、布Ｃを手工芸用具Ａ（中間部１）の上に置く。このとき、縫い目Ｓが中間部１の円柱側面における母線に沿うようにする。そして、縫い代Ｓ１，Ｓ２を、縫い目Ｓを挟むように両側に開き（図７参照）、アイロンを用いて折り目に癖を付ける。
【００２４】
手工芸用具Ａの中間部１は円柱状であるため、図８に表れているように、各縫い代Ｓ１，Ｓ２のうち縫い目Ｓに近い部位だけが、平面状のアイロンかけ面Ｉｓにより押圧される。一方、縫い代Ｓ１，Ｓ２のうち縫い目Ｓから離れた部位は、アイロンかけ面Ｉｓによって押圧されない。このようなことから理解されるように、手工芸用具Ａ（中間部１）を用いてアイロン掛けを行えば、布Ｃに縫い代Ｓ１，Ｓ２の型がつくのを回避することができ、アイロン掛けによる布Ｃの仕上がりが良好になる。
【００２５】
中間部１の表面部分は熱硬化性エラストマーによって構成されている。このため、アイロン掛けの際、中間部１がアイロンからの熱によって変形することはない。また、中間部１（手工芸用具Ａ）によって布Ｃを傷付けるといったこともない。
【００２６】
さらに、熱硬化性エラストマーは、これと接触する外物との摩擦抵抗が比較的大きい。このため、手工芸用具Ａを用いてアイロン掛けを行う際、中間部１に対して布Ｃがずれにくく、アイロン掛けの作業性が良好となる。
【００２７】
第１端部２は、当該第１端部２の先端に向かうほど互いに近づく第１平面部２１および第２平面部２２を有する。すなわち、第１端部２の先端は楔状となっている。このような構成によれば、図９に表れているように、たとえば第１端部２を袋状の布Ｃの内側に入れ易い。さらに、第１端部２の先端角部２４を袋状の布Ｃの角部Ｃ１に押し付けることにより、当該角部Ｃ１の形態を整えることができる。また、丸みを帯びた角部を有する袋状の布の場合、第１端部２の先端の湾曲部２３を当該布の角部に押し付けることにより、当該角部の形態を整えることができる。
【００２８】
図１０に表れているように、第１平面部２１（あるいは第２平面部２２）によって布Ｃの縫い目Ｓを所定の範囲にわたって押さえ付けることができ、これにより、当該縫い目Ｓの形態を整えることができる。中間部１の内部には軸部材４が埋設されているので、中間部１を把持して布Ｃを押さえ付けても（すなわち、中間部１に比較的大きな曲げ荷重が作用しても）、当該中間部１が屈曲するといった不都合が生じるのを防止することができる。
【００２９】
長手方向ｘに延びる所定領域Ｒ１において、第１端部２の外周の周方向長さは、略一定とされており、さらに中間部１における外周の周方向長さと略同一である。このような構成によれば、たとえばチューブ状に縫い合わされた布Ｃの内側に手工芸用具Ａを挿入してアイロン掛けを行う場合、次のような利点がある。図１１および図１２から理解できるように、第１端部２をチューブ状の布Ｃの内側に挿入し、かつ通過させることができれば（図１１）、中間部１も布Ｃの内側を通過させることができる（図１２）。すなわち、上記構成によれば、先細り状の第１端部２はチューブ状の布の内側に挿入できるが、中間部１が布の内側に入らないといった事態を回避することができる。
【００３０】
第２端部３の先端（球面部３２）は、丸みを帯びている。このような構成によれば、たとえば袋状の布の内部に綿を詰める作業を行う際、第２端部３の先端（球面部３２）によって綿を押し込むことにより、効率よく作業を行うことが可能となる。
【００３１】
以上、本発明の実施例について説明したが、本発明はこれに限定されるものではなく、発明の思想から逸脱しない範囲内で種々な変更が可能である。
【００３２】
たとえば、中間部１は、一様な断面で延びていればよく、図６に示すような円形断面に限定されない。中間部１の断面形状としては、図１３に示す楕円形状や、図１４に示す多角形状（図示の例では六角形状）を採用することができる。図１３、図１４に示す態様においても、図８を参照して上述したのと同様の効果を享受することができる。具体的には、図１３に示す楕円形状の中間部１Ａ、および図１４に示す多角形状の中間部１Ｂのいずれの場合においても、縫い代Ｓ１，Ｓ２に対してアイロン掛けをする際、縫い代Ｓ１，Ｓ２のうち縫い目Ｓに近い部位だけが、平面状のアイロンかけ面Ｉｓにより押圧される。
【図１】
2015077386.tif 000003
【図２】
2015077386.tif 000004
【図３】
2015077386.tif 000005
【図４】
2015077386.tif 000006
【図５】
2015077386.tif 000007
【図６】
2015077386.tif 000008
【図７】
2015077386.tif 000009
【図８】
2015077386.tif 000010
【図９】
2015077386.tif 000011
【図１０】
2015077386.tif 000012
【図１１】
2015077386.tif 000013
【図１２】
2015077386.tif 000014
【図１３】
2015077386.tif 000015
【図１４】
2015077386.tif 000016